(57)【要約】【課題】  比較的簡易な構成により用途に応じた色々な使い方を可能にし、適用される装置の使い勝手や高級感を向上する。【解決手段】  本体６に対し可動体８を引込位置から引出位置へ引き出す操作を助ける摺動補助装置において、本体６及び可動体８の一方に設けられて、可動体と同方向へ摺動可能なスライダー２、及びスライダー２に組み込まれて可動体の摺動方向と略直交する方向へ移動可能なロック部材３、並びに可動体の引出位置から引込位置方向への摺動過程で付勢力を蓄積可能となるばね部材４を有した引出ユニット本体１Ａと、本体６及び可動体８の他方に設けられて、可動体を引込位置から途中位置まで引き出すと、ロック部材３を、可動体とスライダーとを作動連結したロック位置から前記作動連結を解放するロック解除位置へ変位させ、それにより可動体８をばね部材４の付勢力で途中位置から引出位置へ摺動可能にする作動部材５とを備えている。【選択図】        図１
2005279018.tif 000002
【特許請求の範囲】
【請求項１】
本体に対し可動体を引込位置から引出位置へ引き出す操作を助ける摺動補助装置において、
前記本体及び前記可動体の一方に設けられて、前記可動体と同方向へ摺動可能なスライダー、及び前記スライダーに組み込まれて前記可動体の摺動方向と略直交する方向へ移動可能なロック部材、並びに前記可動体の引出位置から引込位置方向への摺動過程で付勢力を蓄積可能となるばね部材を有した引出ユニット本体と、
前記本体及び前記可動体の他方に設けられて、前記可動体を引込位置から途中位置まで引き出すと、前記ロック部材を、前記可動体とスライダーとを作動連結したロック位置から前記作動連結を解放するロック解除位置へ変位させ、それにより前記可動体を前記ばね部材の付勢力で途中位置から引出位置へ摺動可能にする作動部材と
を備えていることを特徴とする摺動補助装置。
【請求項２】
本体に対し可動体を引出位置から引込位置へ引き込む操作を助ける摺動補助装置において、
前記本体及び前記可動体の一方に設けられて、前記可動体と同方向へ摺動可能なスライダー、及び前記スライダーに組み込まれて前記可動体の摺動方向と略直交する方向へ移動可能なロック部材、並びに前記可動体の引込位置から引出位置方向への摺動過程で付勢力を蓄積可能となるばね部材を有した引込ユニット本体と、
前記本体及び前記可動体の他方に設けられて、前記可動体を引出位置から途中位置まで引き込むと、前記ロック部材を、前記可動体とスライダーとを作動連結したロック位置から前記作動連結を解放するロック解除位置へ変位させ、それにより前記可動体を前記ばね部材の付勢力で途中位置から引込位置へ摺動可能にする作動部材と
を備えていることを特徴とする摺動補助装置。
【請求項３】
本体に対し可動体を引出位置から引込位置へ引き込む操作及び引込位置から引出位置へ引き出す操作を助ける摺動補助装置において、
前記本体及び前記可動体の一方に設けられて、前記可動体と同方向へ摺動可能な複数のスライダー、及び前記各スライダーにそれぞれ組み込まれたロック部材、並びに前記各スライダー同士を接続するよう設けられて前記可動体の引込位置から引出位置方向、引出位置から引込位置方向への各摺動過程で付勢力を蓄積可能となるばね部材を有した引出・引込ユニット本体と、
前記本体及び前記可動体の他方に設けられて、前記可動体を引込位置から途中位置まで引き出したとき、及び前記可動体を引出位置から途中位置まで引き込んだときに、前記対応するスライダー側のロック部材を、前記可動体と当該スライダーとを作動連結したロック位置から前記作動連結を解放するロック解除位置へ変位させ、それにより前記可動体を前記ばね部材の付勢力で途中位置から引出位置や引込位置へそれぞれ摺動可能にする作動部材と
を備えていることを特徴とする摺動補助装置。
【請求項４】
請求項１から３の何れかに記載のものにおいて、前記作動部材は、前記ロック部材をロック位置に変位可能にする第１カム部と、前記ロック部材をロック解除位置に変位可能にする第２カム部とを有していることを特徴とする摺動補助装置。
【請求項５】
請求項１から３の何れかに記載のものにおいて、前記スライダーと前記ロック部材及び前記ばね部材を配置しているケース内に設けられて、前記可動体の摺動速度を前記スライダーを介して制動するダンパーを有していることを特徴とする摺動補助装置。
【請求項６】
請求項５に記載のものにおいて、前記ダンパーは、本体が外周に複数の突起を有し、前記ケースに設けられたダンパー収容部に対し前記突起等を介して一方向に回転可能に配置されていることを特徴とする摺動補助装置。
【請求項７】
請求項５又は６に記載のものにおいて、前記ダンパーは、前記スライダーに設けられたラックと噛み合うギアを有していることを特徴とする摺動補助装置。
【発明の詳細な説明】
【技術分野】
【０００１】
本発明は、各種の引出しや蓋体のような可動体を本体に対し引込位置と引出位置とに摺動切り換える操作を助ける摺動補助装置に関する。
【背景技術】
【０００２】
可動体を本体に対し引込位置と引出位置とに摺動切り換える構造では、特許文献１に例示されるように、引込方向へ摺動したり引出方向へ摺動する全ての切換操作を手動により行うと疲れたり高級感に欠けるため、可動体を引出位置又は引込位置の何れかの方向へ付勢しておき、該付勢された方向へ自動的に摺動されるよう処理される。
【０００３】
図１０は特許文献１の引出し用装置を示し、（ａ）は図示しない可動体の引込位置、（ｂ）は引出位置での状態図である。符号５０は本体の側壁、符号５５は可動体側の駆動ピン、符号６０は本体側壁と可動体との間に配置された傾斜部分、符号６５はばね部材である。本体側壁５０には案内トラック５１が設けられている。該案内トラック５１は、前後方向へ水平に延びる真っ直ぐな部分５１ａと、前方（図の右側）の弓形部分５１ｂとで構成されている。傾斜部分６０は、上解放したスロット６１及びスロット６１の前側から延びている斜めの側壁６２を有し、ボルト６２，６２を案内トラック５１に嵌合している。ばね部材６５は、本体側に一端を係止し、他端を傾斜部分６０に係止した状態で、可動体が引込位置から引出位置方向へ摺動される過程で付勢力を蓄積する。そして、この構造では、可動体が本体側に対し駆動ピン５５をスロット６１に嵌合した状態で組み込まれる。可動体が引込位置から引出位置へ摺動されるときは、傾斜部分６０が案内トラック５１の真っ直ぐな部分５１ａに沿って動かされた後、弓形部分５１ｂで前方へ傾斜され、かつ駆動ピン５５がスロット６１から斜めの側壁６２に動く。これにより、可動体５１は、ばね部材６５の付勢力に抗して引出位置に係止つまりロックされると共に、後方へ押されることで駆動ピン５５を斜めの壁部６２からスロット６１に戻した後、ばね部材６５に蓄積された付勢力で引き込まれる。なお、特許文献１では、可動体５１がばね部材６５の付勢力で引込位置へ摺動されるようにして、可動体が強く引き込まれたときにバウンドして再び引き出される虞を解消している。
【０００４】
【特許文献１】特公平５−０２３７６３号公報
【発明の開示】
【発明が解決しようとする課題】
【０００５】
上記した従来構造では、例えば、可動体が引出位置から引込位置へはほぼ全て自動で摺動されるが、その分だけ引込位置から引出位置へは強い引き操作力が必要となり使い勝手が悪くなる。また、可動体をばね部材６５の付勢力に抗して係止するロック機構として、駆動ピン５５を傾斜部材６０の前傾斜によりスロット６１から抜け出るようにし、斜めの側壁６２に係合するため、係合力が弱く、振動等によってロック解除される虞がある。傾斜部材６０に設けられたスロット６１の開口は、可動体（駆動ピン５５）の引出操作時にばね部材６５の付勢力蓄積に伴って大きな負荷を受けるため駆動ピン５５とのロック代を大きくしたいが、傾斜部材６０の前傾斜に伴う駆動ピン５５の係合解除も損なわないようにしなければならないため制約される。また、従来構造では、可動体を引込位置方向へ摺動する場合と、引出位置方向へ摺動する場合との両方の操作を補助する機能を有しておらず、作動特性的に制約されている。
【０００６】
本発明の目的は、以上のような課題を解消して、例えば、比較的簡易な構成により用途に応じた色々な使い方を可能にし、適用される装置の使い勝手や高級感を向上することにある。
【課題を解決するための手段】
【０００７】
請求項１の発明は、図１〜図３の形態を特定したもので、本体に対し可動体を引込位置から引出位置へ引き出す操作を助ける摺動補助装置において、前記本体及び前記可動体の一方に設けられて、前記可動体と同方向へ摺動可能なスライダー、及び前記スライダーに組み込まれて前記可動体の摺動方向と略直交する方向へ移動可能なロック部材、並びに前記可動体の引出位置から引込位置方向への摺動過程で付勢力を蓄積可能となるばね部材を有した引出ユニット本体と、前記本体及び前記可動体の他方に設けられて、前記可動体を引込位置から途中位置まで引き出すと、前記ロック部材を、前記可動体とスライダーとを作動連結したロック位置から前記作動連結を解放するロック解除位置へ変位させ、それにより前記可動体を前記ばね部材の付勢力で途中位置から引出位置へ摺動可能にする作動部材とを備えていることを特徴としている。
請求項２の発明は、図４と図５の形態を特定したもので、本体に対し可動体を引出位置から引込位置へ引き込む操作を助ける摺動補助装置において、前記本体及び前記可動体の一方に設けられて、前記可動体と同方向へ摺動可能なスライダー、及び前記スライダーに組み込まれて前記可動体の摺動方向と略直交する方向へ移動可能なロック部材、並びに前記可動体の引込位置から引出位置方向への摺動過程で付勢力を蓄積可能となるばね部材を有した引込ユニット本体と、前記本体及び前記可動体の他方に設けられて、前記可動体を引出位置から途中位置まで引き込むと、前記ロック部材を、前記可動体とスライダーとを作動連結したロック位置から前記作動連結を解放するロック解除位置へ変位させ、それにより前記可動体を前記ばね部材の付勢力で途中位置から引込位置へ摺動可能にする作動部材とを備えていることを特徴としている。
【０００８】
請求項３の発明は、図６〜図８の形態を特定したもので、本体に対し可動体を引出位置から引込位置へ引き込む操作及び引込位置から引出位置へ引き出す操作を助ける摺動補助装置において、前記本体及び前記可動体の一方に設けられて、前記可動体と同方向へ摺動可能な複数のスライダー、及び前記各スライダーにそれぞれ組み込まれたロック部材、並びに前記各スライダー同士を接続するよう設けられて前記可動体の引込位置から引出位置方向、引出位置から引込位置方向への各摺動過程で付勢力を蓄積可能となるばね部材を有した引出・引込ユニット本体と、前記本体及び前記可動体の他方に設けられて、前記可動体を引込位置から途中位置まで引き出したとき、及び前記可動体を引出位置から途中位置まで引き込んだときに、前記対応するスライダー側のロック部材を、前記可動体と当該スライダーとを作動連結したロック位置から前記作動連結を解放するロック解除位置へ変位させ、それにより前記可動体を前記ばね部材の付勢力で途中位置から引出位置や引込位置へそれぞれ摺動可能にする作動部材とを備えていことを特徴としている。
【０００９】
以上の各発明の要部構造は、本体及び可動体の一方に引出ユニット本体、引込ユニット本体、引出・引込ユニット本体の何れかを設ける点、本体及び可動体の他方に対応ユニットのロック部材を可動体の摺動方向と略直交する方向へ動かす作動部材を設ける点、各ユニット本体がスライダー及びロック部材並びにばね部材を必須とし、しかも作動部材と組として使用する点で共通している。作動的には、ばね部材が可動体の摺動過程で付勢力を蓄積し、可動体がその蓄積された付勢力で自動的に摺動される点と、各ユニット本体のロック部材が作動部材から負荷を受けて、可動体と当該スライダーとを作動連結した（当該スライダー単独での相対的な摺動を不能にすること）ロック位置と、前記作動連結を解放する（当該スライダー単独での相対的な摺動を可能にすること）ロック解除位置とに揺動変位する点で共通している。他の特徴は、例えば、各発明装置のロック部材及び作動部材を同じ形状のもので構成でき、主部材の兼用化により製造費等を低減可能にする。
【００１０】
以上の各発明において、前記作動部材は前記ロック部材をロック位置に変位可能にする第１カム部と、前記ロック部材をロック解除位置に変位可能にする第２カム部とを有していること（請求項４）、各ユニット本体は前記スライダーと前記ロック部材及び前記ばね部材を配置しているケース内に設けられて、前記可動体の摺動速度を前記スライダーを介して制動するダンパーを有していること（請求項５）、前記ダンパーは本体が外周に複数の突起を有し、前記ケースに設けられたダンパー収容部に対し前記突起等を介して一方向に回転可能に配置されていること（請求項６）、前記ダンパーは前記スライダーに設けられたラックと噛み合うギアを有していること（請求項７）が好ましい。
【発明の効果】
【００１１】
本発明の摺動補助装置は次のような利点を有している。
・請求項１の発明では、引出ユニット本体及び作動部材により、可動体を引込位置から引出位置へ切り換える過程、つまり途中位置からばね部材の付勢力によって自動的に最終の引出位置へ摺動でき、その点から使い勝手を向上できる。
・請求項２の発明では、引込ユニット本体及び作動部材により、可動体を引出位置から引込位置へ切り換える過程、つまり途中位置からばね部材の付勢力によって自動的に最終の引込位置へ摺動でき、その点から使い勝手を向上できる。
・請求項３の発明では、引出・引込ユニット本体及び作動部材により、可動体を引込位置から引出位置へ切り換える過程、及び可動体を引出位置から引込位置へ切り換える過程、つまり各途中位置からばね部材の付勢力により自動的に最終の引出位置と最終の引込位置へそれぞれ摺動でき、その点から使い勝手を向上できる。具体的には、単一のユニット構成により引き込みと引き出しの両補助機能を達成できるため、組込性及びメンテナンス性に優れ、設置スペース上の制約を受け難い点などで有利となる。
・請求項４の発明では、各ユニット本体のロック部材が作動部材の第１カム部又は第２カム部に当接しながらロック位置又はロック解除位置に変位されるため、ロック部材をロック位置に保つロック代を任意に設定でき、強度的な不安を解消できるようにする。
・請求項５の発明では、例えば、可動体がばね部材の付勢力により急速に摺動されないようダンパーにより制動されるようにして、高級感を付与できるようにする。
・請求項６の発明では、前記ダンパーとして、本体がダンパー収容部に対し外周の突起や収容部側の段差等を介して一方向に回転可能に配置されているため、本体外周等の形状設定だけで、いわゆる決められた回転方向のときにだけ制動するワンウエイタイプとして機能できる。
・請求項７の発明では、前記ダンパーがギアを有し、該ギアをスライダーのラックと噛み合わせるため、制動作用を安定かつ確実に得られるようにする。
【発明を実施するための最良の形態】
【００１２】
本発明の最良な形態を図面の実施例を参照しながら説明する。図面において、図１と図２は第１実施例を示し、図３はその変形例を示している。図４と図５は第２実施例を示している。図６〜図８は第３実施例を示している。このうち、図２と図３、図５、図７と図８は各実施例又は変形例の装置作動を模式的に示し、図９は本発明装置の用途例を模式的に示している。以下の説明では、本発明装置の用途例を概説した後、第１実施例及び変形例、第２実施例及び変形例、第３実施例及び変形例の順に詳述する。また、図面上は作動的に同じ部材及び部位に同一符号を付し、各実施例の説明ではできるだけ重複した記載を省くことにする。なお、図２と図３、図５、図７と図８は符号を主部材だけに付したが、細部は対応する図１と図４並びに図６を参照されたい。
【００１３】
（各発明装置の用途例）本発明の摺動補助装置は、引出ユニット本体１Ａ、引込ユニット本体１Ｂ、引出・引込ユニット本体１Ｃの何れかと、作動部材５とから構成されて、本体に対し可動体を引込位置と引出位置とに摺動切り換える操作を補助するものである。図９は本体及び可動体の一例を示している。この本体６は、前面開口した空間部７を多段に形成している収納装置である。可動体８は、内側に着脱可能に取り付けられるトレー９を有し、本体６の対応する空間部７に対して引込位置と引出位置とに摺動切り換えられるよう組み付けられる。この例では、可動体８に対し引出ユニット本体１Ａ、引込ユニット本体１Ｂ、引出・引込ユニット本体１Ｃの何れかが付設され、各空間部７に対し前記ユニット本体と対応して作動部材５が付設される。但し、部材配置は、図３の変形例及びそれから推察されるように、引出ユニット本体１Ａ、引込ユニット本体１Ｂ、引出・引込ユニット本体１Ｃを空間部７（本体６）に付設し、作動部材５を可動体８に付設してもよい。
【００１４】
（第１実施例）図１の摺動補助装置は、引出ユニット本体１Ａが可動体８の底面側に付設され、作動部材５が本体側空間部７の内底面側に付設されている。引出ユニット本体１Ａは、可動体８と同方向へ摺動可能なスライダー２と、スライダー２に組み込まれて可動体８の摺動方向と略直交する方向へ揺動変位可能なロック部材３と、可動体８の摺動過程で付勢力を蓄積可能となるばね部材４とで構成され、これらがケース１０Ａに組み込まれている。細部は以下の通りである。
【００１５】
ケース１０Ａは、図９のごとく可動体８の摺動方向に長く、かつ偏平な矩形容器状となっている。長手方向の一側には、長溝１１が前後方向の略中間位置から後端まで形成されている。内底面には、後側から前後略中間付近まで延びている直線リブ１２ａと、直線リブ１２ａに接続されている縦リブ１２ｂと、縦リブ１２ｂに接続されている直線リブ１２ｃとを有し、又、直線リブ１２ｃに接続しているダンパー配置用の略円状区画リブ１３を有している。区画リブ１３の内側にはダンパー３５が配置される。すなわち、区画リブ１３は、ダンパー収容部を形成し、一部が段差部分となっている。該ダンパー収容部は、後述するダンパー３５の本体３６を本体側歯や突起及びリブ１３側の段差部分を介して一方向だけに回転されるようにする。形状的には、図１の形状以外に、区画リブ１３を略９０度回転させた様な形状に設計されることもある。以上のケース１０Ａは、スライダー２及びロック部材３並びにばね部材４を組み込んだ後、可動体８の底面に止めねじ等により取り付けられる。
【００１６】
ここで、ダンパー３５は、外周に複数の歯ないしは突起を形成しかつ作動油を充填している本体３６と、本体３６に軸等を介して回動自在に支持されて前記作動油の抵抗を受けているギア３７とを有しており、例えば、図２（ａ）のごとく時計回りに回動するときは空転し、図２（ｃ）のごとく逆時計回りに回動するときにはギア３７を介し相手側部材（スライダー２）を制動する。また、この構造では、ダンパー３５が区画リブ１３つまりダンパー収容部内に配置され、本体３６が外周の歯ないしは突起を介して一方向に空転されるようになっていて、可動体８が後述するばね部材４の付勢力により摺動されるときだけ制動する構成である。つまり、このダンパー構造は、本体３６が回転するときは制動作用を付与できず、回転不能になった状態でギア３７を介して制動可能状態となる。
【００１７】
スライダー２は、細長い長片部２０と、長片部２０の前端を略Ｌ形に折り曲げた先端屈曲部２１と、長片部２０の後端に設けられた保持部２２とで構成されている。長片部２０には、前記ギア３７と噛み合うラック２４が一側に沿って設けられている。保持部２２は断面が概略凹状に形成されている。該凹状の対向片は、外部分２２ａに対し内部分２２ｂが一段低く形成されていると共に、対向片同士を連結している片に小開口ないしは孔２３が設けられている。ここで、スライダー２は、全寸がケース１０Ａ内の前側（図１の左側）から縦リブ１２ｂ付近まで延びる長さであり、長片部２０が区画リブ１３上に摺動自在に支持され、保持部２２が長溝１１に摺動自在に支持される。
【００１８】
ロック部材３は、概略軸ないしはピン状をなし、軸部の両側に突設された弾性片３０と、下端の突当部３１と、上端の頭部３２とからなる。突当部３１は、概略台形に形成され、両側が傾斜辺として形成されている。そして、ロック部材３は、保持部２２の内部分２２ｂに対し両弾性片３０を介して弾性的に当接し、かつ突当部３１を孔２３から外へ突出した状態に配置される。従って、このロック部材３は、保持部２２に対しスライダー２の摺動方向と直交（交差と同じ）する方向に配置され、両弾性片３０の弾性変位を伴って移動可能となっている。通常は、ロック部材３が図１のごとく頭部３２を縦リブ１２ｂと直線リブ１２ｃとの間、つまり頭部３２を縦リブ１２ｂで規制するロック位置に配置されている。また、ロック部材３は、後述する作動部材５を介してスライダー２の摺動方向と直交する方向に揺動変位されて、頭部３２が縦リブ１２ｂと非接触となるロック解除位置に切り換えられる。
【００１９】
ばね部材４は、スプール４１に巻回されているばね板４２をハウジング４０から引き出す定圧ばねであり、ケース１０Ａ内にあって直線リブ１２ａの基端側と対応ケース側壁との間に取り付けられている。そして、ばね部材４は、ばね板４２の引出端がスライダー２の先端屈曲部２１に係止されることにより、スライダー２をケース後方へ付勢する。なお、組立状態において、スライダー２は、ロック部材３がロック位置にあるためばね部材４の付勢力に抗して図１の初期位置に保たれる。
【００２０】
これに対し、作動部材５は、概略Ｌ形をなし、スライダー２の摺動方向に配置される長片部４５と、スライダー２の摺動方向と交差する方向に配置される短片部４６とからなる。長片部４５は、端部に設けられて上向きに突出している第１カム部４７を有している。第１カム部４７は、図２（ｄ）のごとくロック部材３をロック解除位置からロック位置へ切換可能にする。短片部４６は、長片部４５との間でロック部材３の突当部３１を受け入れると共に、突当部３１の片側傾斜辺と当接する第２カム部４８を有している。第２カム部４８は、図２（ｂ）のごとくロック部材３をロック位置からロック解除位置へ切換可能にする。以上の作動部材５は、図１や図９のごとく本体側空間部７の内底面の前側に取り付けられる。
【００２１】
（作動）図２は第１実施例の摺動補助装置を用いたときの作動を示している。すなわち、・同（ａ）は、可動体８が図１のごとく本体側空間部７に収まっている引込位置から手動で引き出している引出途中の状態である。この過程では、引出ユニット本体１Ａのロック部材３が縦リブ１２ｂに規制されるロック位置（可動体８とスライダー２とを作動連結する位置、又は、スライダー単独での相対的な摺動を不能な位置）にあり、スライダー２がばね部材４の付勢力を最も強く受けている。
・同（ｂ）は、可動体８が更に引き出されて、ロック部材３が作動部材５によりロック解除位置へ切り換えられた直前の状態である。この過程では、ロック部材３が突当部３１を第２カム部４８のカム面に当接し、該カム面のカム作用により突当部３１を摺動する結果、長片部４５側つまりロック解除方向へ位置変位される。
【００２２】
・同（ｃ）は、ロック部材３がロック解除位置（可動体８とスライダー２との作動連結を解放する位置、又は、当該スライダー単独での相対的な摺動を可能にする位置）に切り換えられることにより、可動体８が作動部材５で位置規制されたスライダー２に対しばね部材４の付勢力により自動的に最終の引出位置まで摺動された状態である。なお、この構造では、ロック部材３がロック解除位置に切り換えられた後、作動部材５の第１カム部４７よって上方へ付勢されるが、可動体８の更なる引き出しにより図１の直線リブ１２ａの下側に位置するため上方へは移動できない。また、この構造では、（ｂ）〜（ｃ）に至る間、ダンパー３５がラック２４とギア３７との噛み合いを介して可動体８の摺動速度を制動する。この結果、可動体８は、途中位置から最終の引出位置まで適度な速度で摺動されることになる。
・同（ｄ）は、可動体８を引出位置から引き込め操作したときの状態を示している。この引き込め過程では、初期段階において、スライダー２がロック部材３と作動部材５とを介して位置規制されているため、ばね部材４が可動体８の摺動に伴って付勢力を次第に増大するよう蓄積する。そして、ロック部材３が同図のごとく直線リブ１２ａから縦リブ１２ｂに達した段階で、突当部３１を第１カム部４７のカム面に当接し、該カム面のカム作用によりロック部材３が直線リブ１２ｃの方向つまりロック位置へ揺動変位される。また、このロック位置は、（ａ）と同じく、スライダー２がばね部材４の取付位置から最も離間した状態、つまり付勢力が最大までばねチャージされた態様になる。なお、可動体８の引込操作は、引出位置からこの途中位置まで比較的大きな力を必要とするが、該途中位置から最終の引込位置までは弱い力で行える。換言すると、引込操作は、最初だけ所定の力を必要とし、後は力を必要としないため、使い勝手を向上できる。
【００２３】
（変形例）図３は以上の引出ユニット本体１Ａを本体６（空間部７の内底面）に付設し、作動部材５を可動体８に付設した第１実施例の変形例である。この変形例では、図２との比較から分かるように、部材関係が逆転される。しかし、作動は、説明を省くが、図２と図３との対比から分かるように第１実施例と実質的に同じである。
【００２４】
（第２実施例）図４の摺動補助装置は、引込ユニット本体１Ｂが可動体８の底面側に付設され、作動部材５が本体側空間部７の内底面側に付設されている。引込ユニット本体１Ｂは、可動体８と同方向へ摺動可能なスライダー２と、スライダー２に組み込まれて可動体８の摺動方向と略直交する方向へ揺動変位可能なロック部材３と、可動体８の摺動過程で付勢力を蓄積可能となるばね部材４とで構成され、これらがケース１０Ｂに組み込まれている。
【００２５】
ケース１０Ｂは、図９のごとく可動体８の摺動方向に長く、かつ偏平な矩形容器状となっている。長手方向の一側には、長溝１１が前後方向の略中間位置から後端まで形成されている。長手方向の他側は、後側が幅広の段差となっていて、上記縦リブ１２ｂと同様に機能する縦壁１４ａと、前後略中間に設けられた半円状の円弧壁１４ｂとが一体的に設けられている。内底面には、円弧壁１４ｂとの間にダンパー配置部を区画している円弧リブ１５を有している。そして、円弧壁１４ｂと円弧リブ１５とで区画される箇所にはダンパー３５が配置される。すなわち、円弧壁１４ｂと円弧リブ１５とは、ダンパー収容部を形成し、一部が段差部分となっている。該ダンパー収容部は、第１実施例と同様にダンパー３５が一方向に回転可能に配置される。形状的には、図４の形状以外に、円弧壁１４ｂと円弧リブ１５とを略９０度回転させた様な形状に設計されることもある。以上のケース１０Ｂは、スライダー２及びロック部材３並びにばね部材４を組み込んだ後、可動体８の底面に止めねじ等により取り付けられる。
【００２６】
ここで、ダンパー３５は、第１実施例と同じく本体３６とギア３７とを有しており、図５（ａ）のごとく逆時計回りに回動するときは空転し、図５（ｃ）のごとく時計回りに回動するときにはギア３７を介し相手側部材（スライダー２）を制動する。また、この構造では、本体３６が外周の歯を介して一方向に空転されるようになっていて、可動体８が後述するばね部材４の付勢力により摺動されるときだけ制動する構成である。
【００２７】
スライダー２は、細長い長片部２０と、長片部２０の後端に設けられた保持部２２とで構成されている。長片部２０には、前記ギア３７と噛み合うラック２４が一側に沿って設けられている。保持部２２は断面が概略凹状に形成されている。該凹状の対向片は、外部分２２ａに対し内部分２２ｂが一段低く形成されていると共に、対向片同士を連結している片に孔２３が設けられている。ここで、スライダー２は、全寸がケース１０Ｂ内の前側（図４の左側）から円弧リブ１５を通過するまで延びる長さであり、長片部２０が円弧リブ１５上に摺動自在に支持され、保持部２２が長溝１１に摺動自在に支持される。
【００２８】
ロック部材３は、第１実施例のものと同じくし、保持部２２の内部分２２ｂに対し両弾性片３０を介して弾性的に当接し、かつ突当部３１を孔２３から外へ突出した状態に配置される。従って、このロック部材３も、保持部２２に対しスライダー２の摺動方向と直交（交差）する方向に配置され、両弾性片３０の弾性変位を伴って移動可能となっている。通常は、ロック部材３が図４のごとく頭部３２をケース長手方向の他側内面に軽く接しているロック解除位置に配置されている。また、ロック部材３は、後述する作動部材５を介してスライダー２の摺動方向と直交する方向に揺動変位され、頭部３２を縦壁１４ａ側で位置規制するロック位置に切り換えられる。
【００２９】
ばね部材４は、スプール４１に巻回されているばね板４２をハウジング４０から引き出す定圧ばねであり、ケース１０Ｂ内にあって前側に取り付けられている。そして、ばね部材４は、ばね板４２の引出端がスライダー２の保持部２２に適宜な方法で係止される。なお、組立状態において、スライダー２は、ロック部材３がロック解除位置にあるためばね部材４の付勢力を受けていない図４の初期位置に保たれる。
【００３０】
これに対し、作動部材５は第１実施例のものと実質的に同じ。そして、第１カム部４７は、図５（ｂ）のごとくロック部材３をロック解除位置からロック位置へ切換可能にする。第２カム部４８は、図５（ｃ）のごとくロック部材３をロック位置からロック解除位置へ切換可能にする。以上の作動部材５は、図４や図９のごとく本体側空間部７の内底面の前側に取り付けられる。
【００３１】
（作動）図５は第２実施例の摺動補助装置を用いたときの作動を示している。すなわち、・同（ａ）は、可動体８が図４のごとく本体側空間部７に収まっている引込位置から手動で引き出している引出途中の状態である。この過程では、引込ユニット本体１Ｂのロック部材３がロック解除位置にあり、又、可動体８がダンパー３５を空転しながら引き出されると共に、スライダー２がロック部材３と作動部材５とを介して位置規制されているため、ばね部材４が可動体８の摺動に伴って付勢力を次第に増大し蓄積する。なお、この付勢力の蓄積は、同（ｂ）のようにスライダー２とばね部材４の取付位置とが最も離間した状態で最大となる。
・すなわち、同（ｂ）は、可動体８が更に引き出されて、ロック部材３が作動部材５によりロック位置へ切り換えられた直前の状態である。この過程では、ロック部材３が突当部３１を第１カム部４７のカム面に当接し、該カム面のカム作用により縦壁１４ａの方向へ摺動する結果、同図のロック位置へ揺動変位される。そして、可動体８は、この状態を保って最終の引出位置まで摺動操作される。
【００３２】
・同（ｃ）は、可動体８を引出位置から途中位置まで引き込め操作したときの状態を示している。この引き込め過程では、ロック部材３が作動部材５の第１カム部４７上を通り過ぎたとき、突当部３１が作動部材５の第２カム部４８に当接し、該カム面のカム作用によりロック部材３を同図の下側、つまり作動部材５の長片部４５側へ摺動し、それによりロック解除位置に切り換えられる。
・同（ｄ）は、そのようにして、ロック部材３がロック解除位置に切り換えられることにより、可動体８が作動部材５で位置規制されたスライダー２に対しばね部材４の付勢力により自動的に最終の引込位置まで摺動された状態を示している。なお、この構造では、（ｃ）〜（ｄ）に至る間、ダンパー３５がラック２４とギア３７との噛み合いを介して可動体８の摺動速度を制動する。この結果、可動体８は、途中位置から最終の引込位置まで適度な速度で摺動されることになる。
【００３３】
（変形例）第２実施例の摺動補助装置は、第１実施例の変形例と同様に、引込ユニット本体１Ｂを本体６（例えば、空間部７の内底面）に付設し、作動部材５を可動体８に付設してもよい。その変形例では、部材関係があたかも図５の紙面裏から見たような関係となる。また、作動的には第２実施例と同様である。
【００３４】
（第３実施例）図６の摺動補助装置は、引出・引込ユニット本体１Ｃが可動体８の底面側に付設され、作動部材５が本体側空間部７の内底面側に付設されている。引出・引込ユニット本体１Ｃは、可動体８と同方向へそれぞれ摺動可能な２つのスライダー２，２と、各スライダー２に組み込まれて可動体８の摺動方向と略直交する方向へ揺動変位可能なロック部材３，３と、可動体８の摺動過程で付勢力を蓄積可能となるばね部材４とで構成され、これらがケース１０Ｃに組み込まれている。
【００３５】
ケース１０Ｃは、図９のごとく可動体８の摺動方向に長く、かつ偏平な矩形容器状となっている。長手方向に対向している両側壁のうち、一方側壁部は前後略中間より後側が縦壁１６に相当する分だけ張り出している。また、両側壁には、図６のごとく長溝１１が前後方向の略中間位置から後端まで形成されている。内底面には、前後略中間にダンパー配置用の略円状区画リブ１７と、後側から前後略中間付近まで延びている前後リブ１８ａ，１８ｂが設けられている。区画リブ１７の内側にはダンパー３５が配置される。なお、区画リブ１７は、ダンパー収容部を形成し、一部が段差部分となっている。該ダンパー収容部は、第１実施例と同様に機能し、ダンパー３５の本体３６を本体側歯や突起及びリブ１７側の段差部分を介して一方向だけに回転可能にする。形状的には、図６の形状に限られず、例えば、区画リブ１７を略９０度回転させた様な形状に設計されることもある。また、２本の前後リブ１８ａ，１８ｂは後壁から縦壁１６の付近まで延び、リブ同士の前側が接続されている。前後リブ１８ａの先端側には段差状の規制部１９ａが設けられている。前後リブ１８ｂの後端側には同じく段差状の規制部１９ｂが設けられている。各規制部１９ａ，１９ｂは、図１の縦壁１２ｂや図４の縦壁１４ａと同じく、ロック部材３をその縦壁で係止するものである。以上のケース１０Ｃは、対のスライダー２及びロック部材３並びにばね部材４を組み込んだ後、可動体８の底面に止めねじ等により取り付けられる。
【００３６】
ここで、ダンパー３５は、上記各実施例のものと同じであり、図８（ａ）のごとく逆時計回りに回動するときは空転し、図８（ｃ）のごとく時計回りに回動するときにはギア３７を介し相手側部材（スライダー２）を制動する。また、この構造では、本体３６が外周の歯を介して一方向に空転されるようになっていて、可動体８が後述するばね部材４の付勢力により摺動されるときだけ制動する構成である。
【００３７】
各スライダー２，２は、第１，第２実施例と同じくラック２４を形成している長片部２０と、長片部２０の後端に設けられてロック部材３を支持する保持部２２とを有している。また、一方スライダー２（図６の下側、実際は可動体８の一側に配置されるスライダー２）には、ばね用の掛止部２５が保持部２２に設けられている。他方スライダー２（図６の上側、実際は可動体８の他側に配置されるスライダー２）には、長片部２０の前端を略Ｌ形に折り曲げた先端屈曲部２６、及び該先端屈曲部２６の先内側面に突出された段差状の取付片部２７が設けられている。そして、スライダー２，２同士は、互いのラック２４が対向するようケース１０Ｃ内に配置される。また、ダンパー３５は、ギア３７が各スライダーのラック２４，２４同士の間に配置されるよう付設されると共に、両ラック２４，２４のうち、片側のラックと噛み合っている。
【００３８】
ロック部材３は、第１実施例のものと同じく、保持部２２の内部分２２ｂに対し両弾性片３０を介して弾性的に当接し、かつ突当部３１を孔２３から外へ突出した状態に配置される。従って、このロック部材３も、保持部２２に対しスライダー２の摺動方向と直交する方向に配置され、両弾性片３０の弾性変位を伴って移動可能となっている。通常は、図６のごとく、一方スライダー２のロック部材３がその頭部３２を前後リブ１８ｂ側面に軽く接しているロック解除位置に配置され、他方スライダー２のロック部材３がその頭部３２を前後リブ１８ａの段差状の規制部１９ａ、つまりロック位置（可動体と対応するスライダーとを作動連結した位置）に配置されている。
【００３９】
ばね部材４は、スプール４１に巻回されているばね板４２をハウジング４０から引き出す定圧ばねであり、他方スライダー２の段差状の取付片部２７に取り付けられている。そして、ばね部材４は、ばね板４２の引出端が一方スライダー２の保持部２２に設けられた掛止部２５に係止される。
【００４０】
これに対し、作動部材５は、第１，第２実施例のものと同じものであり、個数はスライダー２ないしはロック部材３と同じ数つまり２つ用いられている。そして、各作動部材５は、第１カム部４７により、図７と図８の各（ｂ）のごとく対応するロック部材３をロック解除位置（可動体と対応するスライダーとの作動連結を解放する位置）からロック位置へ切換可能にする。第２カム部４８は、図７と図８の各（ｃ）のごとく対応するロック部材３をロック位置からロック解除位置へ切換可能にする。                
【００４１】
（作動）図７及び図８は第３実施例の摺動補助装置を用いたときの主作動を示している。
・図７（ａ）は、可動体８が図６のごとく本体側空間部７に収まっている引込位置から手動で引き出している引出途中の状態である。この過程では、引出・引込ユニット本体１Ｃを構成している複数のスライダー２のうち、一方のスライダー２（図の下側に配置されているスライダー２、以下、同じ）のロック部材３がロック解除位置、他方のスライダー２（図の上側に配置されているスライダー、以下、同じ）のロック部材３がロック位置にある。そして、可動体８は、ダンパー３５を空転しながら引き出されると共に、一方のスライダー２がロック部材３と作動部材５とを介して位置規制されているため、ばね部材４が可動体８の摺動に伴って付勢力を次第に増大し蓄積する。
・図７（ｂ）は、可動体８が更に引き出されて、一方スライダー２のロック部材３が作動部材５によりロック位置へ切り換えられた直後の状態である。この過程では、一方スライダー２のロック部材３が突当部３１を第１カム部４７のカム面に当接し、該カム面のカム作用により突当部３１を規制部１９ｂの方向へ摺動する結果、同図のロック位置へ揺動変位される。
【００４２】
・図７（ｃ）は、可動体８が更に引き出されて、他方スライダー２のロック部材３が作動部材５によりロック解除位置へ切り換えられた直後の状態を示している。この過程では、当該ロック部材３が突当部３１を作動部材５の第２カム部４８のカム面に当接し、該カム面のカム作用により突当部３１を摺動する結果、長片部４５側つまりロック解除方向へ変位される。
・図７（ｄ）は、他方スライダー２のロック部材３がロック解除位置（可動体８とスライダー２との作動連結を解放する位置）に切り換えられることにより、可動体８が対応作動部材５で位置規制された当該スライダー２に対しばね部材４の付勢力により自動的に最終の引出位置まで摺動された状態である。なお、この構造では、（ｃ）〜（ｄ）に至る間、ダンパー３５が他方スライダー２のラック２４とギア３７との噛み合いを介して可動体８の摺動速度を制動する。この結果、可動体８は、途中位置から最終の引出位置まだ適度な速度で摺動されることになる。
【００４３】
・図８（ａ）は、可動体８を図７（ｄ）の引出位置から途中位置まで引き込め操作したときの状態を示している。この引き込め過程では、初期段階において、他方スライダー２がロック部材３と作動部材５とを介して位置規制されているため、ばね部材４が可動体８の摺動に伴って付勢力を次第に増大するよう蓄積する。そして、他方スライダー２のロック部材３が同図のごとく前後リブ１８ａから規制部１９ａに達した段階で、突当部３１を第１カム部４７のカム面に当接し、該カム面のカム作用により当該ロック部材３が規制部１９ａの方向つまりロック位置へ揺動変位される。
・図８（ｂ）は他方スライダー２のロック部材３がロック位置に切り換えられた状態を示している。この状態では、各スライダー２のロック部材３が共にロック位置にあるため、可動体８と各スライダー２とは一体的ものとして引き込み方向へ摺動される。
【００４４】
・図８（ｃ）は、可動体８が途中位置まで引き込め操作されて、一方スライダー２のロック部材３がロック解除位置に切り換えられた状態を示している。すなわち、この引き込め過程において、一方スライダー２のロック部材３は、前記（ｂ）のごとく対応作動部材５の第１カム部４７上を通り過ぎたとき、突当部３１が作動部材５の第２カム部４８に当接し、該カム面のカム作用により当該ロック部材３を同図の下側、つまり作動部材５の長片部４５側へ摺動し、それによりロック解除位置に切り換えられる。
・図８（ｄ）は、そのようにして、一方スライダー２のロック部材３がロック解除位置に切り換えられることにより、可動体８が対応作動部材５で位置規制された一方スライダー２に対しばね部材４の付勢力により自動的に最終の引込位置まで摺動された状態を示している。なお、この構造では、（ｃ）〜（ｄ）に至る間、ダンパー３５がラック２４とギア３７との噛み合いを介して可動体８の摺動速度を制動する。この結果、可動体８は、途中位置から最終の引込位置まで適度な速度で摺動されることになる。
【００４５】
（変形例）第３実施例は、第１実施例の変形例と同様に、引出・引込ユニット本体１Ｃを本体６（例えば、空間部７の内底面）に付設し、作動部材５を可動体８に付設してもよい。その変形例では、図７の部材関係があたかも同図の紙面裏から見たような関係となる。作動的には第３実施例と同様である。なお、以上のような引出し及び引込みの両方を達成するには、第１実施例の引出ユニット本体１Ａと第２実施例の引込ユニット本体１Ｂとの両者を組として設けることも考えられるが、第３実施例及びその変形例の構成であれば、例えば、ダンパー３５及びばね部材４が共に単一で済み簡略化されるという利点がある。
【００４６】
また、本発明は、上記実施例１〜３及び変形例に何ら制約されるものではなく、請求項１〜３で特定された要件以外はこれを参照して適宜に変更可能なものである。また、本発明の摺動補助装置は、用途的な制約は特になく、例えば、可動体が蓋体であれば、引込位置が本体の所定箇所に配置される閉位置と同じ意味となり、引出位置が本体の所定箇所から離れる開位置と同じ意味となる。また、ダンパー３５は、一方向の回転時だけ制動する構成として、本体３６がダンパー収容部に対し形状設定により回転方向を規制するようにして簡略化を図ったが、このタイプ以外であっても差し支えない。また、ばね部材４は、定圧ばねの例を挙げたが、コイルスプリングや他の付勢構造でもよい。
【図面の簡単な説明】
【００４７】
【図１】第１実施例の摺動補助装置をケースを断面して示す模式構成図である。
【図２】図１の装置作動を示す模式作動図である。
【図３】図１の変形例を図２に対応して示す模式作動図である。
【図４】第２実施例の摺動補助装置をケースを断面して示す模式構成図である。
【図５】図４の装置作動を示す模式作動図である。
【図６】第３実施例の摺動補助装置をケースを断面して示す模式構成図である。
【図７】図６の装置作動を示す模式作動図である。
【図８】図７と同様に図６の装置作動を示す模式作動図である。
【図９】各実施例の可動体と本体の関係などを示す参考図である。
【図１０】従来の問題を説明するための参考図である。
【符号の説明】
【００４８】
１Ａ…引出ユニット本体（１０Ａはケース、１２ｂは規制部）
１Ｂ…引込ユニット本体（１０Ｂはケース、１４ａは規制部）
１Ｃ…引出・引込ユニット本体（１０Ｃはケース、１９ａ，１９ｂは規制部）
２…スライダー（２０は本体、２２は保持部、１３は孔）
３…ロック部材（３０は弾性片、３１は突当部、３２は頭部）
４…ばね部材（４０はハウジング、４１はスプール、４２はばね板）
５…作動部材（４７は第１カム部、４８は第２カム部）
６…本体（７は空間部）
８…可動体（９はトレー）
１３，１５，１７…区画リブ（ダンパー収容部）
３５…ダンパー（３６は本体、３７はギア）
【図１】
2005279018.tif 000003
【図２】
2005279018.tif 000004
【図３】
2005279018.tif 000005
【図４】
2005279018.tif 000006
【図５】
2005279018.tif 000007
【図６】
2005279018.tif 000008
【図７】
2005279018.tif 000009
【図８】
2005279018.tif 000010
【図９】
2005279018.tif 000011
【図１０】
2005279018.tif 000012